(57)【要約】【課題】小型且つ単純な構成の折戸用緩衝装置を提供する。【解決手段】緩衝装置６０は、折戸を構成する一方の戸板の他方の戸板との連結端部に取り付けられる第１取付部材６１と、他方の戸板の一方の戸板との連結端部に取り付けられる第２取付部材６２と、両取付部材６１、６１を互いに回動自在に連結するヒンジ部６３と、ヒンジ部６３を構成する制動機構７０と、を備えている。制動機構７０は、両取付部材６１、６２の互いの回動軸方向（上下方向）に圧縮され反発する円柱形状のダンパ装置７１と、ダンパ装置７１による当該回動軸方向への反発力を両取付部材６１、６２相互の回動を制動する力に変換して両取付部材６１、６２に伝達する制動力伝達機構７２とを備えている。【選択図】図３
2008208558.tif 000002
【特許請求の範囲】
【請求項１】
一対の戸板を蝶番を介して水平方向に互いに回動自在に連結してなる折戸の閉じ際における戸板相互の急激な回動を制動する緩衝装置であって、
前記一対の戸板のうち一方の戸板の他方の戸板との連結端部に取り付けられる取付部材と、
前記一対の戸板のうち他方の戸板の一方の戸板との連結端部に取り付けられる取付部材と、
両取付部材を互いに回動自在に連結するヒンジ部と、
ヒンジ部を構成する制動機構と、を備え、
制動機構は、
両取付部材の互いの回動軸方向に圧縮され反発するダンパ装置と、
ダンパ装置による当該回動軸方向への反発力を両取付部材相互の回動を制動する力に変換して両取付部材に伝達する制動力伝達機構と、を備えた折戸用緩衝装置。
【請求項２】
前記制動力伝達機構は、
一方の取付部材に設けられたダンパ収容部と、
ダンパ収容部内にダンパ装置と共に収容されたダンパ保持体と、
ダンパ収容部の内面又はダンパ保持体の外面に形成された螺旋状の案内部と、を備え、
折戸の閉じ際における両取付部材相互の回動に伴ってダンパ収容部とダンパ保持体とが案内部により互いに案内されて前記回動軸方向に相対移動することによりダンパ装置を圧縮するように構成されている請求項１の折戸用緩衝装置。
【発明の詳細な説明】
【技術分野】
【０００１】
本発明は、シンクキャビネットや吊り戸棚等の建具或いは食器棚、書棚等の家具などに装備される折戸の緩衝装置に関し、折戸を閉める際の戸板相互の急激な回動を制動する緩衝装置に関する。
【背景技術】
【０００２】
折戸は、少なくとも二つの戸板を備え、相隣り合う戸板同士を蝶番を介して互いに水平方向に回動自在に連結するとともに、戸板の上端部をその上方に敷かれたレールにランナーを介して移動自在に支持することにより、戸板相互が回動しながら開閉する構造になっている。
【０００３】
このように折戸は戸板相互が回動しながら開閉する構造上、閉めた時に戸板が左右の戸枠に当接するとともに戸板相互の木口面同士が当接する。このため折戸を閉めた際に戸板が最後まで急激に回動すると大きな衝撃音や振動が発生する。この衝撃が折戸や戸枠に繰り返し加わることが部品の損傷や劣化を早める原因となる。また一旦最後まで閉まった戸板が衝撃により跳ね返り、戸板相互が折れ曲がった姿態で半閉まり状態になるという折戸特有の問題もある。
【０００４】
この種の問題を解決するには、折戸を閉める際の戸板相互の急激な回動を制動することが有効である。関連する従来技術としては、戸板同士を回動自在に連結する蝶番のヒンジ部にカム部材を設けるとともにそのヒンジ部を中心にして互いに回動可能に連結された蝶番の一対の取付部材（戸板の木口面に形成された取付穴に嵌め込んで固定される部材）の一方にカム部材側に付勢されて水平方向にスライドするスライダを設け、両取付部材が互いに折り畳まれる方向に回動する時に、すなわち折戸を閉める向きに両戸板が回動する時に、スライダがカム部材により押し返されることにより制動力が発生するように構成したものが知られている。
【０００５】
また、戸板同士を回動自在に連結する蝶番の一方の取付部材に高密度ウレタン製のダンパを設け、両取付部材が閉じ際にダンパを他方の取付部材側の部材に当接させることにより、戸板の閉じ際における急激な回動に制動を与えるように構成したものも知られている。（特許文献１）
【特許文献１】特開平１０−８８８９３号公報（段落番号０００３、０００４、００２９〜００３２、図１）
【発明の開示】
【発明が解決しようとする課題】
【０００６】
しかし、折戸を閉める際に蝶番のヒンジ部に設けたカム部材により蝶番の取付部材に設けたスライダが押し返されることにより制動力を発生させるように構成した従来の緩衝装置では、蝶番の取付部材に、水平方向にスライドするスライダ、スライダをヒンジ部側に付勢する付勢機構、スライダを摺動可能に案内する案内機構などを設ける必要があるため、装置が大型化し且つ構成が複雑化するという問題がある。
【０００７】
また、折戸の閉じ際における戸板相互の急激な回動を制動する手段として、高密度ウレタン製のダンパを使用する従来の緩衝装置では、両戸板に作用する制動力の強さ及びその制動力が働くタイミングがダンパである高密度ウレタンの特性によって決まってしまう。このため、折戸の仕様等に応じて緩衝時に両戸板に作用させる制動力の強さ及びその制動力が働くタイミングを変更するにはダンパそのものを変更しなければならなかった。
【０００８】
本発明が解決しようとする課題は、従来よりも小型且つ単純な構成の折戸用緩衝装置を提供すること、更には、制動力の強さとタイミングをダンパ装置に変更を加えることなく変更できる折戸用緩衝装置を提供することにある。
【課題を解決するための手段】
【０００９】
上記課題を解決するために、本発明の折戸用緩衝装置は、一対の戸板を蝶番を介して水平方向に互いに回動自在に連結してなる折戸の閉じ際における戸板相互の急激な回動を制動する緩衝装置であって、前記一対の戸板のうち一方の戸板の他方の戸板との連結端部に取り付けられる取付部材と、前記一対の戸板のうち他方の戸板の一方の戸板との連結端部に取り付けられる取付部材と、両取付部材を互いに回動自在に連結するヒンジ部と、
ヒンジ部を構成する制動機構とを備え、制動機構は、両取付部材の互いの回動軸方向に圧縮され反発するダンパ装置と、ダンパ装置による当該回動軸方向への反発力を両取付部材相互の回動を制動する力に変換して両取付部材に伝達する制動力伝達機構とを備えて構成されるものである。
【００１０】
本発明の折戸用緩衝装置において、前記制動力伝達機構は、一方の取付部材に設けられたダンパ収容部と、ダンパ収容部内にダンパ装置と共に収容されたダンパ保持体と、ダンパ収容部の内面又はダンパ保持体の外面に形成された螺旋状の案内部とを備え、折戸の閉じ際における両取付部材の回動に伴ってダンパ収容部とダンパ保持体とが案内部に互いに案内されて前記回動軸方向に相対移動することによりダンパ装置を圧縮するように構成されていることが望ましい。
【発明の効果】
【００１１】
本発明によれば、小型且つ単純な構成の折戸用緩衝装置を提供できる。そして、制動力の強さとタイミングをダンパ装置に変更を加えることなく変更できる折戸用緩衝装置を提供することができる。
【発明を実施するための最良の形態】
【００１２】
以下、本発明の実施形態について図面を参照して説明する。
【００１３】
図１は本発明の緩衝装置を備えた折戸装置の背面図である。図２は本発明の緩衝装置を第1の方向から見た全体斜視図である。図３は本発明の緩衝装置を第２の方向から見た全体斜視図である。図４は本発明の緩衝装置の分解斜視図である。図５（ａ）〜（ｅ）はそれぞれ本発明の緩衝装置の正面図、左側面図、右側面図、平面図、下面図である。図６は本発明の緩衝装置の背面図である。
【００１４】
折戸装置１は、左右一対の戸板１１、１２を蝶番２１、２２、２３により水平方向に互いに回動自在に連結してなる折戸１０と、折戸１０の上方に敷かれたレール３０と、折戸１０をレール３０に吊り下げた状態でレール３０に沿って移動自在に支持しているランナー４１、４２と、レール３０が取り付けられた矩形状の戸枠５０と、折戸１０の閉じ際における戸板１１、１２相互の急激な回動を制動すべく装備された緩衝装置６０とを備えている。蝶番２１、２２、２３は、折戸用の蝶番として広く用いられている公知の蝶番である。蝶番２１、２２、２３は、いわゆるキャッチ機構を備えており、折戸１０を閉じる際に両戸板１１、１２相互間の角度が略１２５度以上になると、そのキャッチ機構が作動して、折戸１０を強制的に全閉状態に誘導する。緩衝装置６０は、図１の例では、三つの蝶番２１、２２、２３のうち最も高い位置に設けられた蝶番２１と折戸１０の上端縁との中間位置に設けられている。
【００１５】
緩衝装置６０は、一対の戸板１１、１２のうち一方の戸板１１の他方の戸板１２との連結端部に取り付けられる第１取付部材６１と、他方の戸板１２の一方の戸板１１との連結端部に取り付けられる第２取付部材６２と、両取付部材６１、６１を互いに回動自在に連結するヒンジ部６３と、ヒンジ部６３を構成する制動機構７０と、を備えている。
【００１６】
第１取付部材６１は、一方の戸板１１に形成された取付穴に嵌め付けられる半円形状の部材本体６１ａと、部材本体６１ａの開放端縁部から上下方向に耳状に張り出したフランジ部６１ｂとからなる。フランジ部６１ｂの上下両端部にはそれぞれ螺子孔６１ｃが形成されており、部材本体６１ａを戸板１１の取付穴に嵌合させた状態でフランジ部６１ｂの上下の螺子孔６１ｃに螺子を通して締め付けることにより、第１取付部材６１が戸板１１に固定されている。
【００１７】
第２取付部材６２は、他方の戸板１２に形成された取付穴に嵌め付けられる半円形状の部材本体６２ａと、部材本体６２ａの開放端縁部から上下方向に耳状に張り出したフランジ部６２ｂとからなる。フランジ部６２ｂの上下両端部にもそれぞれ螺子孔６２ｃが形成されており、部材本体６２ａを戸板１２の取付穴に嵌合させた状態でフランジ部６２ｂの上下の螺子孔６２ｃに螺子を通して締め付けることにより、第２取付部材６２が戸板１２に固定されている。
【００１８】
制動機構７０は、両取付部材６１、６２の互いの回動軸方向（上下方向）に圧縮され反発する円柱形状のダンパ装置７１と、ダンパ装置７１による当該回動軸方向への反発力を両取付部材６１、６２相互の回動を制動する力に変換して両取付部材６１、６２に伝達する制動力伝達機構７２と、を備えている。
【００１９】
ダンパ装置７１は、円筒状の本体７１ａと、本体７１ａの上端から突出して上下方向に進退移動するダンパピン７１ｂとを備えている。本体７１ａの上端縁部には円環状のフランジ部７１ｃが形成されている。ダンパ装置７１の本体７１ａ内には、ダンパ装置７１に対しこれを圧縮する向き、すなわちダンパピン７１ｂを本体７１ａ側に押し込む向きに作用する力に抗して反発力を発生する図示しないコイルばね（弾性体）と、ダンパピン７１ｂの急激な動きを緩衝する図示しないオイルダンパ（緩衝体）とが内蔵されている。
【００２０】
制動力伝達機構７２は、第１取付部材６１に設けられたダンパ収容部７３と、ダンパ収容部７３内にダンパ装置７１と共に収容されたダンパ保持体７４と、ダンパ収容部７３の内面に形成された螺旋状の溝からなる案内部７５と、を備えている。
【００２１】
ダンパ収容部７３は、第１取付部材６１と一体のキャップ状の上部収容部材７３ａと、第１取付部材６１とは別体であるカップ状の下部収容部材７３ｂとを有しており、ダンパ装置７１の上端部をその外周に環装したダンパ保持体７４とともに上部収容部材７３ａ内に挿入した後、ダンパ装置７１を保持しているダンパ保持体７４の下端部に下部収容部材７３ｂを被せて、これを第２取付部材６２の下部に連結することにより、ダンパ装置７１がダンパ保持体７４と共にダンパ収容部７３に収容されている。第２取付部材６２の下部に切り欠き状の嵌合部６２ｄが形成されており、この嵌合部６２ｄに下部収容部材７３ｂの外周部に形成されたＴ字状の断面を有する嵌合突起部７３ｃが嵌合状態で係合することにより、下部収容部材７３ｂが第２取付部材６２の下部に固定されるようになっている。嵌合突起部７３ｃには、固定ピン７３ｆが挿入される貫通孔７３ｅが形成されている。一方、第２取付部材６２の下部には、下部収容部材７３ｂの貫通孔７３ｅと連通する位置にこれと同径の貫通孔６２ｈが形成されており、下部収容部材７３ｂの嵌合突起部７３ｃを第２取付部材６２の嵌合部６２ｄに下方からスライドさせて嵌合させた後、両貫通孔７３ｅ、６２ｈに固定ピン７３ｆを差し込むことにより、第２取付部材６２からの下部収容部材７３ｂの離脱が防止されている。
【００２２】
上部収容部材７３ａの外周には周方向に延びる円弧状（半円状）の突起７３ｃが第２取付部材６２に臨ませて形成されている。第２取付部材６２にはこの突起７３ｃと嵌合する円弧状の溝６２ｇが形成されており、両者が互いに嵌合することにより、両取付部材１１、１２の相互の回動を許容しつつ互いの回動軸方向（上下方向）への相対移動（がたつき、離脱）を防止している。
【００２３】
ダンパ保持体７４は、ダンパ装置７１の外周面に若干余裕を持って嵌合している円筒状の本体７４ａと、ダンパ収容部７３の案内部７５に螺合した螺旋状の突起からなる被案内部７４ｂと、第２取付部材６２側の係合部６２ｅと互いに係合している係合部６１ｅとを有している。ダンパ保持体７４の本体７４ａの外径寸法はダンパ装置７１のフランジ部７１ｃの外径と同寸に選定されており、本体７４ａの上端面がダンパ装置７１のフランジ部７１ｃの下面に当接している。被案内部７４ｂと係合部６１ｅは、ダンパ保持体７４の上下方向中央部の外周面に突設されている。第２取付部材６２側の係合部６２ｅは、部材本体６２ａの端板に突設されており、その先端部６２ｆがダンパ収容部７３側に向けて鍵状に屈曲している。一方、ダンパ保持体７４の係合部６１ｅは、回動方向に隣接する一対の係合爪６１ｆを有し、両係合爪６１ｆの間に第２取付部材６２側の係合部６２ｅの先端部６２ｆが受け入れられた状態で係合している。このようにダンパ保持体７４の係合部６１ｅと第２取付部材６２側の係合部６２ｅとが互いに係合していることにより、両取付部材６１、６２の互いの回動に伴ってダンパ保持体７４が第１取付部材６１に対して回動し、それに伴ってダンパ保持体７４の被案内部７４ｂがダンパ収容部７３の案内部７５に案内されて上下に移動し、その結果、ダンパ保持体７４とこれに保持されているダンパ装置７１が共に上下に移動する。そして、ダンパ装置７１が上方に移動することによってダンパピン７１ｂが上部収容部材７３ａの端板に当接し、ダンパピン７１ｂがダンパ装置７１の本体７１ａ内に押し込まれることにより、ダンパ装置７１が作動する仕組みになっている。
【００２４】
ダンパ収容部７３の案内部７５の長さ、角度（ピッチ）、そしてダンパ保持体７４の突起部７４ｂ被案内部７４ｂとの相対的な位置関係は、折戸１０が閉じられるときに所定のタイミングでダンパ装置７１のダンパピン７１ｂが上部収容部材７３ａの端板に当接して、ダンパ装置７１による制動力が効き始めるように選定されている。
【００２５】
図７は折戸装置１の開閉時における一連の状態を示す部分斜視図、図８は同じく部分平面図である。図７および図８において、（ａ）は折戸１０が全開の状態であり、この状態から折戸１０を閉める際、（ｂ）および（ｃ）の状態を経て、（ｄ）の状態すなわち折戸１０の折曲角度が略１２５度になった時点で、蝶番２１、２２、２３のキャッチ機構が作動し、その働きにより折戸１０が強制的に（ｅ）の状態すなわち全閉状態まで誘導される。その際、蝶番２１、２２、２３のキャッチ機構の作動開始後から折戸１０が全閉状態になるまでの間の所定のタイミングで、ダンパ装置７１による制動力が効き始める。これにより、折戸１０は閉め際における両戸板１１、１２相互の急激な回動が制動されつつ、全閉状態まで静かに誘導される。
【００２６】
上記のように構成された緩衝装置６０は、折戸１０の閉め際における制動力の強さとタイミングをダンパ装置７１に変更を加えることなく変更することができる。すなわちこの緩衝装置６０は、ダンパ収容部７３の案内部７５の長さ、角度（ピッチ）、そしてダンパ保持体７４の被案内部７４ｂとの相対的な位置関係を適宜選定することにより、ダンパ装置７１による制動力が効き始めるタイミングとその強さを、引戸装置１の仕様等に合わせて選定できる。
【００２７】
そして、この緩衝装置６０は、両取付部材１１、１２の互いの回動軸方向に圧縮され反発するダンパ装置７１を用いてヒンジ部６３そのものが制動機構７０で構成されているので、従来の緩衝装置のように、蝶番の取付部材に、水平方向にスライドするスライダ、スライダをヒンジ部側に付勢する付勢機構、スライダを摺動可能に案内する案内機構などを設ける必要がない。したがって、従来よりも小型且つ単純な構成で実現できる。
【図面の簡単な説明】
【００２８】
【図１】本発明の緩衝装置を備えた折戸装置の背面図
【図２】図１中の緩衝装置を第1の方向から見た全体斜視図
【図３】図１中の緩衝装置を第２の方向から見た全体斜視図
【図４】図１中の緩衝装置の分解斜視図
【図５】（ａ）〜（ｅ）はそれぞれ図１中の緩衝装置の正面図、左側面図、右側面図、平面図、下面図
【図６】図１中の緩衝装置の背面図
【図７】図１に示す折戸装置の開閉時における一連の状態を示す部分斜視図
【図８】図１に示す折戸装置の開閉時における一連の状態を示す部分平面図
【符号の説明】
【００２９】
１  折戸装置
１０  折戸
１１、１２  戸板
２１、２２、２３  蝶番
３０  レール
４１、４２  ランナー
５０  戸枠
６０  緩衝装置
６１  第１取付部材
６１ｅ  係合部
６２  第２取付部材
６２ｅ  係合部
６３  ヒンジ部
７０  制動機構
７１  ダンパ装置
７１ａ  本体
７１ｂ  ダンパピン
７２  制動力伝達機構
７３  ダンパ収容部
７４  ダンパ保持体
７４ｂ  被案内部
７５  案内部
【図１】
2008208558.tif 000003
【図２】
2008208558.tif 000004
【図３】
2008208558.tif 000005
【図４】
2008208558.tif 000006
【図５】
2008208558.tif 000007
【図６】
2008208558.tif 000008
【図７】
2008208558.tif 000009
【図８】
2008208558.tif 000010
【手続補正書】
【提出日】平成19年3月1日(2007.3.1)
【手続補正１】
【補正対象書類名】明細書
【補正対象項目名】００２２
【補正方法】変更
【補正の内容】
【００２２】
上部収容部材７３ａの外周には周方向に延びる円弧状（半円状）の突起７３ｄが第２取付部材６２に臨ませて形成されている。第２取付部材６２にはこの突起７３ｄと嵌合する円弧状の溝６２ｇが形成されており、両者が互いに嵌合することにより、両取付部材１１、１２の相互の回動を許容しつつ互いの回動軸方向（上下方向）への相対移動（がたつき、離脱）を防止している。
【手続補正２】
【補正対象書類名】明細書
【補正対象項目名】００２４
【補正方法】変更
【補正の内容】
【００２４】
ダンパ収容部７３の案内部７５の長さ、角度（ピッチ）、そしてこの案内部７５とダンパ保持体７４の被案内部７４ｂとの相対的な位置関係は、折戸１０が閉じられるときに所定のタイミングでダンパ装置７１のダンパピン７１ｂが上部収容部材７３ａの端板に当接して、ダンパ装置７１による制動力が効き始めるように選定されている。